(57)【特許請求の範囲】
【請求項１】
箱状体の側壁に開口が設けられ、該開口の両側にガイド部が設けられ、該開口に連通して該箱状体の底壁に、コルゲートチューブを挿通保持させる挿通凹部が設けられ、該開口を塞ぐカバーに、該ガイド部にスライド係合するスライド部が設けられているコルゲートチューブ保持構造であって、
前記カバーの内面側に、前記コルゲートチューブの周方向の外周面に沿う先端面を有する突条と、該突条から該カバーのスライド方向に続くリブとが設けられており、該リブが湾曲状ないし傾斜状の突出先端面を有し、該突条の先端面と該リブの突出先端面とが滑らかに交差し、該リブが該突条の先端面から該カバーの内面にかけて漸次突出高さを低めていることを特徴とするコルゲートチューブ保持構造。
【請求項２】
前記突条の先端面が円弧状に形成され、該突条の周方向両側部分が中央部分よりもコルゲートチューブ径方向に突出したことを特徴とする請求項１記載のコルゲートチューブ保持構造。
【請求項３】
一対の前記突条が前記カバーのスライド方向に並んで配置され、各突条ごとに前記リブが配置されたことを特徴とする請求項１又は２記載のコルゲートチューブ保持構造。
【請求項４】
前記挿通凹部が１８０°よりも大きな周方向角度の内周面を有し、該内周面に続く前部開口が該内周面の内径よりも小さな幅で形成されたことを特徴とする請求項１〜３の何れかに記載のコルゲートチューブ保持構造。
【発明の詳細な説明】
【技術分野】
【０００１】
本発明は、例えば自動車用の電気接続箱の側部開口内に挿通保持させたワイヤハーネスのコルゲートチューブをスライド式のサイドカバーで覆って保護するコルゲートチューブ保持構造に関するものである。
【背景技術】
【０００２】
従来、例えば電気接続箱の壁部にワイヤハーネス挿通保護用の合成樹脂製のコルゲートチューブを保持させるために種々のコルゲートチューブ保持構造が提案されている。
【０００３】
例えば、特許文献１（図示せず）には、電気接続箱の本体ケースの側壁に半円よりも大きな断面円弧状のワイヤハーネス挿通用の窪みを設けたことが記載され、その従来技術として、ロアカバーのワイヤハーネス挿通口にヒンジを介して蓋を開閉自在に設けたことや、ロアカバーのワイヤハーネス挿通開口に防水カバーをスライド係合させることが記載されている。
【０００４】
また、特許文献２（図示せず）には、電気接続箱本体の中間の箱本体にヒンジを介して蓋体を設け、ロアカバーの切欠部にコルゲートチューブを挿通させて切欠部を蓋で閉じ、蓋の内面の円弧状の突片をコルゲートチューブの環状凹部に係合させることが記載されている。
【０００５】
また、特許文献３（図示せず）には、電気接続箱のアンダカバーの開口の内側にコルゲートチューブよりも小径なＵ字状のコルゲートチューブ挿通用の孔部とそれに続くフランジ部を設け、開口にヒンジを介して蓋部を設け、蓋部にコルゲートチューブを押し潰す押圧部を設けたことが記載されている。
【０００６】
上記以外に、図８に示す従来のコルゲートチューブ保持構造は、接続箱本体５１にＵ字状のコルゲートチューブ挿通凹部５２と、その開口５２ａの一側にヒンジを介して開閉自在なカバー５３とを設け、コルゲートチューブ挿通凹部５２の内周面にコルゲートチューブ係止用の突片５４を突設し、コルゲートチューブ５５の周方向の凹溝５５ａにリブ５４を係合させ、カバー５３を閉めて挿通凹部５２側に爪状の係止手段５６で係止させるものである。
【０００７】
コルゲートチューブ５５は周方向の凹溝５５ａと凸条５５ｂとをチューブ長手方向に交互に配置した蛇腹状のハーネス保護チューブであり、コルゲートチューブ内には複数本の絶縁被覆電線が挿通される。
【先行技術文献】
【特許文献】
【０００８】
【特許文献１】特開２００９−２１３１９５号公報（図３，図７，図８）
【特許文献２】特開２００８−６１３９２号公報（図４）
【特許文献３】特開平８−１４０２４１号公報（図１）
【発明の概要】
【発明が解決しようとする課題】
【０００９】
しかしながら、上記従来の図８のコルゲートチューブ保持構造にあっては、挿通凹部５２からコルゲートチューブ５５が離脱して、コルゲートチューブ装着作業性すなわちワイヤハーネス挿通作業性が悪いという懸念や、コルゲートチューブ５５の離脱方向（径方向）とカバー５３の開き方向（矢印Ｂ方向）とが同じであるために、コルゲートチューブ５５の反発力でカバー５３が不意に開きやすいという懸念や、コルゲートチューブ５５とカバー５３との間に大きな隙間５２ａを生じて、跳ね上げ水等がコルゲートチューブ５５を下から上に伝ってカバー５３内すなわち接続箱本体５１内に浸入しやすいという懸念があった。
【００１０】
また、例えばカバー５３をヒンジ式ではなくスライド式に開閉させる構造とした場合には、例えばカバーの内面側の不図示の突出部分がコルゲートチューブ５５の周方向の凸条５５ｂのエッジに引っ掛かってカバーの主に閉じ操作を行い難くなるという懸念があった。
【００１１】
本発明は、上記した点に鑑み、例えば電気接続箱におけるスライド式のカバーの閉じ操作をコルゲートチューブとの引っ掛かりなくスムーズに行うことができ、それに加えて、コルゲートチューブとカバーとの間からの水等の浸入を防止し、しかも挿通凹部からのコルゲートチューブの不意な離脱を防止することのできるコルゲートチューブ保持構造を提供することを目的とする。
【課題を解決するための手段】
【００１２】
上記目的を達成するために、本発明の請求項１に係るコルゲートチューブ保持構造は、箱状体の側壁に開口が設けられ、該開口の両側にガイド部が設けられ、該開口に連通して該箱状体の底壁に、コルゲートチューブを挿通保持させる挿通凹部が設けられ、該開口を塞ぐカバーに、該ガイド部にスライド係合するスライド部が設けられているコルゲートチューブ保持構造であって、前記カバーの内面側に、前記コルゲートチューブの周方向の外周面に沿う先端面を有する突条と、該突条から該カバーのスライド方向に続くリブとが設けられており、該リブが湾曲状ないし傾斜状の突出先端面を有し、該突条の先端面と該リブの突出先端面とが滑らかに交差し、該リブが該突条の先端面から該カバーの内面にかけて漸次突出高さを低めていることを特徴とする。
【００１３】
上記構成により、挿通凹部にコルゲートチューブが挿通保持され、その状態でカバーのスライド部がガイド部に沿ってスライド係合され、その際、リブの湾曲状ないし傾斜状の突出先端面がコルゲートチューブの周方向の各山部（凸条）にスムーズに摺接して山部と突条との干渉を防止し、カバーのスライド装着をスムーズに行わせる。リブはカバーの閉じ方向及び／又は開き方向に続いている。突条はコルゲートチューブとカバーの内面との間の隙間をなくしたり、コルゲートチューブを挿通凹部に押し付ける作用をする。
【００１４】
また、挿通凹部の径方向すなわちコルゲートチューブの抜け出し方向とカバーのスライド方向（コルゲートチューブ長手方向）とが直交するから、コルゲートチューブの反発力によるカバーの不意な外れが防止される。挿通凹部内でのコルゲートチューブの軸方向の保持（固定）は、挿通凹部内面の突起や挿通凹部内面へのチューブ圧入等によって行われる。コルゲートチューブには予め複数本の電線が挿通される。
【００１５】
請求項２に係るコルゲートチューブ保持構造は、請求項１記載のコルゲートチューブ保持構造において、前記突条の先端面が円弧状に形成され、該突条の周方向両側部分が中央部分よりもコルゲートチューブ径方向に突出したことを特徴とする。
【００１６】
上記構成により、突条の周方向両側部分が断面円形のコルゲートチューブの径方向両側の隙間部分に進入係合して隙間を埋めて、コルゲートチューブの外周面に沿って例えば下から上に水（跳ね上げ水等）がカバー内すなわち箱状体内に浸入することが防止される。
【００１７】
請求項３に係るコルゲートチューブ保持構造は、請求項１又は２記載のコルゲートチューブ保持構造において、一対の前記突条が前記カバーのスライド方向に並んで配置され、各突条ごとに前記リブが配置されたことを特徴とする。
【００１８】
上記構成により、コルゲートチューブの長手方向に一対のリブが順次及び同時に摺接して、カバーの突条とコルゲートチューブの山部との干渉が確実に防止され、カバーのスライド装着性が高められる。
【００１９】
請求項４に係るコルゲートチューブ保持構造は、請求項１〜３の何れかに記載のコルゲートチューブ保持構造において、前記挿通凹部が１８０°よりも大きな周方向角度の内周面を有し、該内周面に続く前部開口が該内周面の内径よりも小さな幅で形成されたことを特徴とする。
【００２０】
上記構成により、挿通凹部内にコルゲートチューブが径方向に押し込まれて挿通凹部の前部開口から径方向に抜け出すことなく安定に保持される。これにより、カバーを装着する際に、コルゲートチューブを手で押さえる必要がなく、組付作業性が向上する。
【発明の効果】
【００２１】
請求項１記載の発明によれば、箱状体の開口にカバーをスライド装着させる際に、リブでコルゲートチューブの山部とカバーの突条との干渉を防いで、電気接続箱等におけるスライド式のカバーの閉じ操作や開き操作をコルゲートチューブとの引っ掛かりなくスムーズに行うことができる。これにより、コルゲートチューブの有害な変形や、引っ掛かりによる挿通凹部からの外れ等を防止して、カバーの着脱作業性を高めることができる。
【００２２】
請求項２記載の発明によれば、カバーの突条の周方向両側部分でコルゲートチューブの両側の隙間を埋めて、コルゲートチューブの外周面に沿う箱状体内への水の浸入を防ぐことができる。
【００２３】
請求項３記載の発明によれば、コルゲートチューブの長手方向に一対のリブを同時に安定して摺接させて、カバーの突条とコルゲートチューブの山部との干渉を確実に防止して、カバーのスライド装着性を高めることができる。
【００２４】
請求項４記載の発明によれば、挿通凹部からのコルゲートチューブの不意な離脱を防止することができ、箱状体へのコルゲートチューブとカバーの組付作業性を高めることができる。
【図面の簡単な説明】
【００２５】
【図１】本発明に係るコルゲートチューブ保持構造の一実施形態を示す分解斜視図である。
【図２】コルゲートチューブ保持構造におけるサイドカバーの一形態の内面側を示す、（ａ）は上方視斜視図、（ｂ）は下方視斜視図である。
【図３】コルゲートチューブ保持構造における接続箱本体の一形態の要部を断面として示す斜視図である。
【図４】コルゲートチューブ保持構造のサイドカバー装着前の状態の平面図である。
【図５】コルゲートチューブ保持構造のサイドカバー装着後の状態の平面図である。
【図６】図５のＡ−Ａ断面図である。
【図７】コルゲートチューブ保持構造を備えた電気接続箱の一形態を示す要部斜視図である。
【図８】従来のコルゲートチューブ保持構造の一形態を示す平面図である。
【発明を実施するための形態】
【００２６】
図１〜図７は、本発明に係るコルゲートチューブ保持構造の一実施形態を示すものである。
【００２７】
図１の如く、このコルゲートチューブ保持構造は、合成樹脂製の接続箱本体（箱状体）１の垂直な側壁２に上下方向に長い矩形スリット状の開口３を設け、開口３の左右両側の外縁に一対のガイド溝（ガイド部）４を設け、合成樹脂製の略板状のサイドカバー（カバー）５の左右両側にスライド板部（スライド部）６を設け、スライド板部６を上から下向きにガイド溝４にスライド係合させて、開口３をサイドカバー５で覆うようにしたものである。
【００２８】
サイドカバー５は、幅方向中央の垂直な縦長の板壁７と、板壁７の左右両側に直交して板壁７の裏面側に突出した垂直で幅狭な側壁８（図２）と、各側壁８の厚み方向中間部から板壁７の幅方向（左右方向）に鍔状に突出したスライド板部６と、板壁７の上部の幅広板部９の外面（表面ないし前面）の左右両側に設けられた係止部１０と、両係止部１０の間で幅広板部９の外面に突設された操作用の下向きの傾斜壁１１とを備えたものである。スライド板部６の下半側６ａは幅狭で上半側６ｂは幅広に形成されている。係止部１０は枠状の保護壁内に例えば不図示の可撓性の係止爪を有して成る。
【００２９】
図２（ａ）（ｂ）の如く、サイドカバー５の下半側の内面（裏面ないし後面）において左右の側壁８に垂直な突壁１２が一体に延設され、一対の突壁１２の間において突壁１２から板壁７の内面に、上下一対の水平な円弧状の突条１３が設けられ、各突条１３の中央１３ｃにおいて各突条１３の下面から板壁７の内面にかけて垂直な短い傾斜状のリブ１４が設けられている。
【００３０】
スライド板部６に対して各突壁１２の内面は外面よりも深く（幅広）に形成されて板壁７の内面に直交し、突壁１２の内面はスライド板部６の内面に直交している。両側壁８と板壁７とで断面凹字の空間をなし、両突壁１２と板壁７とでそれよりも深い凹字状の空間をなしている。両突壁１２の間において凹字状の空間内に傾斜状のリブ１４が配置されている。
【００３１】
円弧状の突条１３は中央１３ｃが幅狭で浅く左右（周方向）の両側部分１３ｂが幅広で深くなるように左右対称に形成され、両側部分１３ｂが中央部分１３ｃよりも後方に突出し、突出先端（後端）に円弧面１３ａを有している。上側の突条１３は突壁１２の上端と同一水平面上に位置し、下側の突条１３は突壁１２の下端よりも上側に位置し、左右の突壁１２と上下の突条１３とで矩形枠状の壁部１５を構成し、下側のリブ１４の下端は突壁１２の下端と略同一水平線上に位置している。上下の突条１３はコルゲートチューブ２５（図４）に沿う下から上への水の浸入を防ぎ、左右の突条１２は下から横（斜め上）への水の浸入を防ぐ。
【００３２】
各リブ１４の上端は各突条１３の突出先端面（円弧面）１３ａと同一垂直面上に位置し、各リブ１４は上端から下端にかけて傾斜状ないし湾曲状に漸次突出高さを低めて下端において板壁７の内面に交差している。各リブ１４の板厚は突壁１２や突条１３の板厚と同程度である。上側の突条１３はスライド板部６の幅広部６ｂの下端とほぼ同一水平面上に位置している。下側の突条１３とその下側のリブ１４は板壁７の下端よりも上方に位置している。
【００３３】
各リブ１４の突出先端面１４ａが傾斜面ないし湾曲面であり、突出先端面１４ａの上端が突条１３の突出先端面１３ａの中央に段差なく滑らかに続いている。各リブ１４の上端は各突条１３の下面に直交し、各リブ１４の基端は板壁７の内面に直交している。
【００３４】
図１の如く、接続箱本体１は前後左右の垂直な側壁（周壁）２と水平な底壁１６と上部開口１７とを有し、側壁２の開口３の左側近傍において底壁１６に厚肉壁部１８が形成されている。開口３の左右端縁のガイド溝４は、垂直な内側の壁部１９と外側の壁部２０と両壁部１９，２０を連結する側壁２１とで断面コの字ないし逆コの字状に囲まれて構成されている。各ガイド溝４の上側において側壁２の上部に被係止部２２が設けられ、被係止部２２は例えば左側ないし右側の保護壁の内側の垂直な上向きの突片２２ａと突片２２ａの内面に形成された不図示の突起とで構成されている。
【００３５】
図３に接続箱本体１の底壁部分を示す如く、接続箱本体１の側壁２の開口３の内側において水平な底壁１６の厚肉壁部１８に、１８０°よりも大きな周方向角度の内周面２３ａを有する横断面円弧状のコルゲートチューブ挿通凹部２３が垂直に設けられ、挿通凹部２３の前部開口２４が側壁２の開口３の後側に連通し、挿通凹部２３の内周面２３ａには例えば左右と後側の三方に、断面円形のコルゲートチューブ２５（図４）の周方向の凹溝に進入係合する水平方向の短い（周方向に短い）円弧状の突片（突起）２６が上下方向に位置ずれして配設されている。
【００３６】
挿通凹部２３の内周面２３ａは例えば２５０°程度の周方向角度で形成され（この場合、前部開口２４の仮想円の周方向角度は１１０°程度である）、前部開口２４の内幅（左右方向幅）は挿通凹部２３の内径よりも小さい。挿通凹部２３の軸方向長さ（深さ）は挿通凹部２３の内径よりも少し短い。前部開口２４は外向きの短いやや傾斜状の段差面２７を介して左右の対向する垂直な内壁面２８に続き、両内壁面２８に垂直なガイド溝４の下部４ａが形成されている。
【００３７】
ガイド溝４の下部４ａは前後二段に形成され（前側の左右方向に幅狭なガイド溝を符号４ａ1、後側の左右方向に幅広なガイド溝を符号４ａ2で示す）、厚肉底壁１８から上側において図１の如く前後二段のガイド溝４ａは拡幅されつつ上方に続いている。
【００３８】
図１のスライド板部６は前側のテーパ状の内側部分６ｃと、内側部分６ｃから段部を介して幅方向に続く後側の外側部分６ｂとで成り、スライド板部６の形状に合わせてガイド溝４が前後二段に形成されている。図３で挿通凹部２３の下側には厚肉底壁１８と一体の左右及び後側の壁部２９が挿通凹部２３よりも大径に延長形成されている（図６参照）。
【００３９】
図４の如く、接続箱本体１の挿通凹部２３にコルゲートチューブ２５が挿通嵌合される。コルゲートチューブ２５は径方向に前部開口２４から挿通凹部２３に押し込まれる。コルゲートチューブ２５は可撓性であるので、径方向に縮んで挿通凹部２３の内径よりも狭い前部開口２４を通過し、復元して挿通凹部２３の内周面２３ａに接触する。コルゲートチューブ２５内には予め不図示の複数本の電線（ワイヤハーネス）が挿通されている。
【００４０】
図４の拡大図の如く、挿通凹部２３の前部開口端２４が内向きに突出して前部開口２４を挿通凹部２３の内径よりも狭くし、挿通凹部２３を断面略Ｃ字形状としているので、サイドカバー５（図１）を閉めなくても、コルゲートチューブ２５が挿通凹部２３から離脱することがない。従って、サイドカバー５を閉めるまでの間においてコルゲートチューブ２５を離脱しないように手で押さえておく必要がなく、組付作業性が高まる。
【００４１】
図４において、挿通凹部２３の内面２３ａの各突片２６はコルゲートチューブ２５の各凹溝（谷部）２５ａに係合して、挿通凹部２３からのコルゲートチューブ２５の軸方向の抜け出しを阻止する。図３の各突片２６は凹溝２５ａのピッチのｎ倍（ｎ＝１，２…）のピッチで配置されている。
【００４２】
図１の矢印の如くサイドカバー５を上から下にスライドさせて閉めることで、図５の如く、サイドカバー５の内面側の上下の突条１３の左右両側の突出部分１３ｂがコルゲートチューブ２５の凸条（山部）２５ｂの外周面とサイドカバー５との間の隙間３０を埋める（図５では説明の便宜上、隙間３０を広く図示している）。これにより、コルゲートチューブ２５を下から上に伝ってサイドカバー５内すなわち接続箱本体１内に水等が浸入することが防止される。
【００４３】
図５の如く、突条１３の左右の突出部分１３ｂは円弧状（ないし傾斜状）の内面１３ｂ1と垂直な側面１３ｂ2と、内面１３ｂ1と側面１３ｂ2との交差部である突出先端面１３ｂ3を有し、円弧状の内面１３ｂ1がコルゲートチューブ２５の周方向の凸条（山部）２５ｂの外周面に接触ないし近接し、垂直な側面１３ｂ2は接続箱本体１の挿通凹部２３の前部開口２４（図３）の前側に続く前側の内壁面２８（図３）に接触ないし近接し、突出先端面１３ｂ3は前部開口２４の直近の段差面２７に当接ないし近接する。
【００４４】
コルゲートチューブ２５を下から上に伝う水は図２の下側の円弧状の突条１３の下面に当たって落下する。下側の突条１３を通過してしまった水は上側の円弧状の突条１３の下面に当たってそれ以上の浸入を阻止される。例えば電気接続箱３１（図７）を自動車のエンジンルーム等に配置した場合に走行中の跳ね上げ水や高圧洗浄水がコルゲートチューブ２５を下から上向きに伝わりやすいが、円弧状の突条１３によって水等の浸入が防止される。
【００４５】
図５で、符号１１は、サイドカバー５の上部の操作部、１０は、その両側の係止部、９は、上部の幅広板部、６は、スライド板部の上部をそれぞれ示している（詳細は図１参照）。
【００４６】
図６（図５のＡ−Ａ断面図）の如く、サイドカバー５を閉めた状態で、サイドカバー５の各突条１３の先端面１３ａが突条１３の下側に続くリブ１４の先端上部面と共にコルゲートチューブ２５の凸条２５ｂの外周面に接触する。
【００４７】
サイドカバー５のスライド板部６を図１の矢印の如く上から下にガイド溝４にスライド係合させる際に、リブ１４の下端から上端にかけての突出先端の湾曲面（ないし傾斜面）１４ａがコルゲートチューブ２５の凸条２５ｂの上端（エッジ部）に引っ掛かりなくスムーズに摺接して、サイドカバー５のスライド閉止を引っ掛かりなくスムーズに行わせる。これにより、接続箱本体１へのサイドカバー５の装着作業性が高められる。リブ１４を設けない場合は、突条１３の突出先端面１３ａの下端がコルゲートチューブ２５の凸条２５ｂの上端（凹溝２５ａの下端）に突き当たって、サイドカバー５のスライド装着性が低下する。
【００４８】
リブ１４は上下の各突条１３毎に配置されているので、サイドカバー５を上から下にスライドさせた際に、先ず、下側のリブ１４が挿通凹部２３の上端側においてコルゲートチューブ２５の凸条２５ｂにスムーズに摺接して、下側の突条１３をコルゲートチューブ２５の凸条２５ｂの外周面に沿って引っ掛かりなく通過させ、以下同様に、下側の各凸条２５ｂ毎に下側のリブ１４がスムーズに摺接しつつ下側の突条１３をスムーズに案内させる。次いで（それと同時に）、上側のリブ１４が同様に各凸条２５ｂにスムーズに摺接して、上側の突条１３を凸条２５ｂの外周面に沿って引っ掛かりなく通過・案内させる。上下一対のリブ１４によってサイドカバー５が厚み方向の振れ力を受けることなくガイド溝４にスムーズにスライド係合する。
【００４９】
図６の如く、サイドカバー５の装着状態で、上下一対のリブ１４とそれに続く各突条１３は接続箱本体１の厚肉底壁１８の挿通凹部２３の上端と下端とに位置する。挿通凹部２３の内面の突片２６がコルゲートチューブ２５の凹溝２５ａに係合している。挿通凹部２３の下側において延長壁部２９で囲まれた略コの字状の空間３２がコルゲートチューブ２５の周囲に位置する。
【００５０】
図７の如く、サイドカバー５の上端の幅広板部９が合成樹脂製のアッパカバー３３の側壁３４の内面に密着して（サイドカバー５の上端部がアッパカバー３３で隙間なく覆われて）、サイドカバー５の上部からの水等の浸入が防止される。接続箱本体１は前後左右と底側の壁部２，１６とを備え、各壁部２，１６で囲まれた内部空間に例えばヒューズやリレー等の電気部品やコネクタを装着する不図示の接続ブロック等が収容されている。
【００５１】
例えば接続ブロックのコネクタに嵌合した相手コネクタから上向きに導出された複数本の電線がコルゲートチューブ２５で覆われた状態でアッパカバー３３の内側空間を経てサイドカバー５の内側を通って接続箱本体１の挿通凹部２３から下向きに外部に導出される。例えば接続ブロックの電気部品に接続された複数本の電線は接続箱本体１の不図示の下側の導出孔から外部に導出される。少なくとも接続箱本体（メインカバーないしケース）１と接続ブロックとアッパカバー３３とサイドカバー５とで電気接続箱３１が構成される。
【００５２】
なお、上記実施形態においては、サイドカバー５のリブ１４を突条１３の下側に配置してサイドカバー５の閉じ時のコルゲートチューブ２５との引っ掛かりを防止したが、例えばリブ１４を突条１３の上下に対称に配置して上下のリブ１４で略二等片三角形状の山型を構成すれば、サイドカバー５の閉じ時と開き時との両方においてコルゲートチューブ２５との引っ掛かりを防止することができる。
【００５３】
また、上記実施形態においては、電気接続箱３１にコルゲートチューブ保持構造３５を適用したが、電気接続箱３１以外に、例えば不図示の合成樹脂製のハーネスプロテクタ等に幅広スリット状の開口（３）を設け、開口（３）の内側にコルゲートチューブ挿通凹部（２３）を設け、開口（３）にサイドカバー（カバー）（５）をスライド装着する構造において、上記コルゲートチューブ保持構造３５を適用することも可能である。接続箱本体１やハーネスプロテクタ等を箱状体と総称する。
【００５４】
また、上記実施形態においては、円弧状の突出先端面１３ａを有する突条１３にリブ１４を続けて設けたが、円弧状ではなく真直な突出先端面（１３ａ）を有する板状の突条（１３）にリブ１４を設けることも、突条（１３）とコルゲートチューブ２５との干渉を防止する上で有効である。この場合、リブ１４は突条（１３）とコルゲートチューブ２５とが接触（干渉）する部分、すなわちコルゲートチューブ２５の中心から突条（１３）の先端面（１３ａ）に垂直な仮想線を引いた位置に配置される。
【００５５】
また、上記実施形態の図２においてリブ１４を円弧状の突出先端面１３ａの突条１３の中央と左右両側部分とに設けたり、中央ではなく左右両側部分のみに設けることも可能である。また、上記実施形態の図３の突片２６を排除して、挿通凹部２３に径方向の剛性が高く且つ挿通凹部２３よりもやや大径なコルゲートチューブ２５を圧入して保持させることも可能である。突片２６として周方向に長く続いたものや、短い突起状のものを使用することも可能である。
【００５６】
また、上記実施形態においては、断面円形のコルゲートチューブ２５に対応して断面円弧状の挿通凹部２３や突条１３を設けたが、断面長円形（平型）のコルゲートチューブを用いる場合は、挿通凹部２３や突条１３をコルゲートチューブの外周形状に合った円弧状（湾曲状）とする。
【００５７】
また、上記実施形態においては、図２の如く上下の突条１３と左右の突壁１２とで矩形枠状の壁部１５を構成したが、例えば突壁１２を排除して上下の突条１３とリブ１４のみとすることも可能である。また、上記実施形態においては、接続箱本体１にガイド溝（ガイド部）４を設け、サイドカバー５にスライド板部（スライド部）６を設けたが、ガイド溝（スライド部）６をサイドカバー５に設け、スライド板部（ガイド部）６を接続箱本体に設けることも可能である。
【産業上の利用可能性】
【００５８】
本発明に係るコルゲートチューブ保持構造は、例えば自動車に搭載される電気接続箱におけるスライド式のカバーの閉じ操作を引っ掛かりなくスムーズに行わせ、それに加えて、コルゲートチューブとカバーとの間からの水等の浸入を防止したり、電気接続箱本体の挿通凹部からのコルゲートチューブの不意な離脱やカバーの不意な開きを防止したりするために利用することができる。
【符号の説明】
【００５９】
１      接続箱本体（箱状体）
２      側壁
３      開口
４      ガイド溝（ガイド部）
５      サイドカバー（カバー）
６      スライド板部（スライド部）
１３    突条
１３ａ  先端面
１３ｂ  両側部分
１３ｃ  中央部分
１４    リブ
１４ａ  突出先端面
１６    底壁
２３    挿通凹部
２３ａ  内周面
２４    前部開口
２５    コルゲートチューブ
【図１】
0005800567.tif 000002
【図２】
0005800567.tif 000003
【図３】
0005800567.tif 000004
【図４】
0005800567.tif 000005
【図５】
0005800567.tif 000006
【図６】
0005800567.tif 000007
【図７】
0005800567.tif 000008
【図８】
0005800567.tif 000009